(57)【要約】【課題】太陽による加熱エネルギ−と発電エネルギ−を用いて、海水や井戸の鹹水などを淡水化する、太陽エネルギ−を有効利用した海水の淡水化装置が要求されている。【解決手段】１５℃前後の海水で過熱水蒸気凝縮装置内部の鎧型凝縮板を冷却しながら太陽熱温水器で６０℃前後に加熱された温海水を過熱水蒸気発生ボイラ−に供給し、太陽光発電パネルで発電した直流をパルスと極性変換しながら高周波振動機により前後に振動する複合電極に給電して電気分解によりＨＨＯガスを効率良く発生させる。ＨＨＯガスを気水分離サイクロンと逆火防止装置を介して加熱水蒸気発生ボイラ−のＨＨＯバ−ナ−で燃焼させ過熱水蒸気発生体を加熱して１００℃以上の過熱水蒸気を発生させる。過熱水蒸気を過熱水蒸気凝縮装置内の下側から旋回噴射しながら蒸発させることで塩類を分離し、蒸発した気体を鎧型凝縮板で凝縮させることで、効率良く淡水を造水することができる。【選択図】図１
2014237118.tif 000002
【特許請求の範囲】
【請求項１】
淡水化する１５℃前後の海水や鹹水を揚水ポンプを介して過熱水蒸気凝縮装置の外側を囲んだ冷却タンクに流入させて、凝縮室内の鎧型凝縮板を冷却させながら太陽熱温水器に送水し、太陽熱エネルギ−の吸収により６０℃前後に加熱された温海水を過熱水蒸気発生ボイラ−の外側を囲んだ加熱タンクの中に流入させて、太陽光発電パネルで発電させて蓄電池に蓄えられた直流電流を主電源とし、直流制御装置により電解液が充たされたＨＨＯガス発生装置の複合電極に給電し、電気分解により発生したＨＨＯガス（水素２対酸素１の混合ガス）を気水分離サイクロンと逆火防止弁を介して過熱水蒸気発生ボイラ−内の下側に設けたＨＨＯガスバ−ナ−で燃焼させて加熱タンク内の温海水を加熱して１００℃以上の過熱水蒸気を発生させ未蒸発の濃塩水をドレンとして排出し、海水で２０℃前後冷却された過熱水蒸気凝縮装置内の凝縮室下側に設けた過熱水蒸気噴射ノズルから塩類を含んだ過熱水蒸気を旋回噴射し、蒸発させながら鎧型凝縮板により凝縮させて淡水と塩水とに分離することで、淡水を効率良く造水させたことを特徴とする太陽エネルギ−を有効利用した海水の淡水化装置。
【請求項２】
ＨＨＯガス発生装置の電極収納容器には設定した液面まで電解液が充たされ、その液中に陰電極と陽電極とを絶縁リングを介して複数交互に配列して絶縁ボルトで短冊状に連結された複合電極が浸されており、電極収納容器の外側面に設置した高周波振動機の励起により２００Ｈｚ〜１０００Ｈｚの振動周波数で複合電極を前後に振動させながら、直流制御装置によりパルス変換されて極性変換ができる１２Ｖの直流電流を複合電極に給電することで、電気分解を大幅に促進させてＨＨＯガスを効率良く発生させたことを特徴とする請求項１記載の太陽エネルギ−を有効利用した海水の淡水化装置。
【請求項３】
過熱水蒸気発生ボイラ−の外側を取り囲んだ加熱タンクに流入させた温海水を、燃焼室下側に設けたＨＨＯガスバ−ナ−で燃焼させたＨＨＯガスの燃焼炎で加熱させる、熱伝導の良い円筒形状で中心部に円錐台形状の貫通炎道を穿孔し、その周囲にコイル状の螺旋チタンパイプを配管して、アルミナ・チタン・ジルコニウム・バナジウム・クロム・銅・カ−ボンなどに炭素繊維を混入し泥漿鋳込して乾燥した後に焼成した耐火セラミック製で熱変換効率の良い過熱水蒸気発生体を設置し、貫通炎道を通過する燃焼炎で加熱された過熱水蒸気発生体からの放射熱で周囲の加熱タンク内の温海水を８０℃前後に昇温させ、加熱タンク内の上側部から温海水熱海水導入管を介して螺旋チタンパイプ内部を温海水が流下する時、貫通炎道からの熱伝導により１００℃以上で加圧状態の過熱水蒸気として蒸発させながら、蒸発出来ない塩類は流下しながら濃縮されてドレン水となり過熱水蒸気供給管の途中に設けたドレンセパレ−タ−に溜められ、接続したスチ−ムトラップにより未蒸発の濃い塩水をドレンとして排除することで効率良く過熱水蒸気を発生させたことを特徴とする請求項１記載の太陽エネルギ−を有効利用した海水の淡水化装置。
【請求項４】
過熱水蒸気凝縮装置の外側を取り囲んだ冷却タンク中の海水で冷却された逆円錐形状台形状の凝縮室の内壁面に、多段に接合された鎧型凝縮板と凝縮液受皿を内接し、凝縮室の下側央部に設置した過熱水蒸気噴射ノズルから旋回噴射された１００℃以上の塩類を含んだ過熱水蒸気は、旋回しながら蒸発上昇する過程で塩類と分離されながら冷やされた鎧型凝縮板の表面に蒸発した水蒸気が触れ凝縮されて淡水となり、凝縮液受皿に流れ落ちて淡水排出管を介して外部に排出し、蒸発できず分離された塩類は凝縮室下部に溜まり濃塩水となり濃塩水排出管を介して外部に排出し、過熱水蒸気凝縮装置の下側には海水１５℃と過熱水蒸気１００℃以上との８５℃前後ある温度差を利用して発電させるため、温度差発電装置の中央部に設けたゼ−ベック素子の片側に螺旋スクリュ−板を内接した過熱水蒸気供給管を配管し、反対側に螺旋スクリュ−板を内接した海水供給管を平行に配管し熱伝導効率を良くしてゼ−ベック素子に温度差を与えて熱発電させたことを特徴とする請求項１記載の太陽エネルギ−を有効利用した海水の淡水化装置。
【発明の詳細な説明】
【技術分野】
【０００１】  本発明は、太陽エネルギ−を利用し、海水、塩分を含んだ地下水（鹹水）、塩分を含んだ河川水を太陽熱で加熱し、更に太陽光発電で発生させた電力で海水を電気分解して発生したＨＨＯガス（水素２対酸素１の混合ガス）の燃焼で再加熱して発生した過熱水蒸気を冷却する、蒸留法により淡水を得る淡水化装置及びその操作方法に関するものである。
【背景技術】
【０００２】  近年地球環境の悪化が問題となっており、電気や化石燃料を使用しない再生可能エネルギ−による淡水化の研究が模索されている中、無尽蔵な太陽エネルギ−を如何に効率よく利用するかは今後ますます重要となる課題である。地球規模での環境悪化や化石燃料の枯渇さらに人口の爆発的増加で、特に飲料水となる太陽エネルギ−を利用した淡水の確保は最も実現の急がれる緊急事項であり、それを解決するため様々な発明がなされていた。【０００３】  太陽エネルギ−を利用した方法として、温室の内部の遠心力噴霧装置で海水を霧化して網に向けて噴射して蒸発させ、温室の天井や壁部に付着させ凝縮し淡水を造水する海水淡水化装置が知られている（例えば、特許文献１参照。）。然し乍らこの海水淡水化装置は、大きな温室が必要で熱損失も多く、効率の良い海水の造水方法が要求されていた。【０００４】  太陽熱で加熱した熱媒により原水蒸発缶を加熱して水蒸気を発生させて、海水タンク内で加熱して蒸発させ凝縮して淡水を造水する海水淡水化装置が知られている（例えば、特許文献２参照。）。然し乍らこの方法では、太陽エネルギ−による熱媒体の加熱だけであり熱損失も多く装置も大型なため、効率の良い海水の造水方法が要求されていた。【０００５】  類似した方法として、太陽光の透過する蒸発室内に設置した蒸発用水槽の上方に設けた集光レンズで海水を蒸発させ、除湿機により結露させて淡水を造水する海水淡水化装置が知られている（例えば、特許文献３参照。）。然し乍らこの方法も、太陽エネルギ−による加熱だけであり熱損失も多く効率の良い海水の造水方法が要求されていた。【０００６】  また、太陽光発電の電力により海水の汲み上げポンプと高圧ロ−タリ−ピストンポンプを駆動し、高圧の海水を逆浸透膜を通過させて淡水を造水する海水淡水化装置が知られている（例えば、特許文献４参照。）。然し乍らこの方法も、太陽エネルギ−の利用は発電だけであり、造水するため海水が逆浸透膜を通過させるには超高圧にすることが必要で、太陽エネルギ−だけで作動する海水淡水化装置として造水することが困難であった。【０００７】  さらにまた、太陽光の運動に合わせて追尾集光した太陽光をレンズを介して熱媒体を加熱するタンクの開口部から加熱し、海水を蒸発させて淡水を造水する海水淡水化装置が知られている（例えば、特許文献５参照。）。然し乍らこの方法は、太陽を追尾集光して得たエネルギ−による加熱だけであり、太陽光をレンズと加熱タンクが連動して移動するため装置も大型となるため、小型で効率の良い海水の造水方法が要求されていた。
【先行技術文献】
【特許文献】
【０００８】
【特許文献１】  特許３２５０７３８号公報
【特許文献２】  再公特許ＷＯ９７／４８６４６号公報
【特許文献３】  特開２００３−１２６８４１号公報
【特許文献４】  特許３９９１１２１号公報
【特許文献５】  特開２０１１−２７２６８公報
【発明の概要】
【発明が解決しようとする課題】
【０００９】  以上に述べた如く、無尽蔵の太陽エネルギ−を利用した、従来公知の海水から淡水の造水方法では、太陽熱で海水を加熱して蒸発させ冷却することで凝縮して淡水を造水するため構造は甚だ簡単であるが、造水効率が悪い。更に太陽光発電による電力で海水を濾過し、更に超高圧に加圧して逆浸透膜で塩類を分離して淡水を造水する方法も数々提案されているが、いずれも簡易な小型プラントの構成が困難で、大型プラントとなり広大な設置場所が必要で、小型で造水効率の改善とランニングコストの削減が要求されていた。【００１０】  太陽エネルギ−による淡水の造水装置で、熱帯地域・亜熱帯地域の乾燥地帯や砂漠地帯の海岸線、離島や僻地の他に、災害により水道や電気などインフラ設備が崩壊した地域、天災による地震や津波の被災地に搬送して設置するだけで、直ちに淡水が造水できる装置が存在しないため、その場所で海水及び地下水の鹹水、塩分を含んだ河川水などから太陽エネルギ−だけで効率良く淡水や飲料水が確保できる造水装置が要望されていた。【００１１】  又、スプレ−フラッシュによる淡水化方法では、蒸発と凝縮による相反する作用に多大のエネルギ−を必要とする他に、真空蒸発部と凝縮器を別個に設けた複雑な構造のものが多く、接続する管路も複雑なため淡水化装置の製造価格も高額となることと、熱損失も多く発生し、メンテナンス及び稼働に専門の技術者が必要なため、造水コストがアップすることにより、大幅な技術改善が必要とされていた。【００１２】  現在主流とされている逆浸透膜法による淡水化は、淡水化コストを削減するため一日の淡水化能力が一万トン前後の大型の装置であり、海水を加圧して浸透膜の反対側から淡水を回収する方法のため、海水を浸透圧以上の圧力まで加圧する動力費、目詰まりで交換する逆浸透膜の交換費用、逆浸透膜の洗浄に用いた塩酸や逆浸透膜などの廃棄処理費用、メンテナンス費用、保守管理費用も必要なため、造水コストも高額であった。【００１３】  その上に、植物性・動物性プランクトン、その他環境ホルモン物質、有機物、無機物、窒素・燐などの化学肥料、カドミウム、水銀、鉛、セレン、クロム、マンガンなどの重金属類、ＰＣＢ、ダイオキシンなどの化学物質を逆浸透膜で完全に除去するためには、逆浸透膜に目詰まりが発生する他、長期間継続して逆浸透膜で濾過した飲料水として飲用するには、潜水艦や掃海艇などの特殊船舶等の他小型装置の設置例はなく、小型で簡単に海水から淡水が造水できる装置が要望されていた。【００１４】  以上の課題を解決するため本発明はなされたもので、環境に負荷を掛けない無限の自然エネルギ−である太陽による太陽熱と太陽光発電と、海水と過熱水蒸気との温度差発電を利用して、海水や鹹水の他、汚染された河川や地下水などから淡水や飲用水が確保でき、コンパクトでパッケ−ジ化され、設置や移動運搬が簡単で、運転操作に特別な操作や専任の技術者が必要で無く、ランニングコストの安価な、無限の資源である太陽エネルギ−を利用した海水の淡水化装置を低価格で提供することを目的とするものである。
【課題を解決するための手段】
【００１５】  そして、本発明は上記の目的を達成するために、淡水化する１５℃前後の海水又は地下水の鹹水を海水送水管の途中に設けた揚水ポンプを介して、断熱材で周囲を囲み外気と遮断された過熱水蒸気凝縮装置の外側を囲んだ冷却タンクの中に流入させて、凝縮室内の上側で冷却タンクに接合された鎧型凝縮板を冷却させながら、冷却タンクの上側から温水供給管により２方弁を介して太陽熱温水器の中に送水する。太陽熱温水器の内部で太陽熱エネルギ−の吸収により６０℃前後に加熱された温海水を、断熱材で周囲を囲み外気と遮断された過熱水蒸気発生ボイラ−の外側を囲んだ加熱タンクの中に流入させる。【００１６】  そして、太陽光発電パネルにより発電された直流電流は一度蓄電池に蓄えられる。蓄電池の直流電流を主電源とし、非常用又は蓄電池の電力不足を補うため外部より供給される交流電流を補助電源として直流制御装置に給電し、直流制御装置により極性変換とパルス変換された直流電流をＨＨＯガス発生装置の複合電極に給電し、電解液が充たされたＨＨＯガス発生装置による電気分解により発生したＨＨＯガスを気水分離サイクロンで清浄化させ逆火防止弁を介して、過熱水蒸気発生ボイラ−内の下側に設けたＨＨＯガスバ−ナ−により燃焼させることで加熱タンク内の海水を加熱して１００℃以上の過熱水蒸気を発生させ未蒸発の濃塩水をドレンとして排出し、海水により２０℃前後に冷却された過熱水蒸気凝縮装置の凝縮室内の下側に設けた過熱水蒸気噴射ノズルから塩類を含んだ過熱水蒸気を噴射しながら凝縮させることで、淡水と濃塩水とに分離するよう構成されている。【００１７】  また、第２の課題解決手段は、太陽エネルギ−を有効利用した海水の淡水化装置に設けた直流制御装置により極性変換とパルス変換された１２Ｖの直流電流を、ＨＨＯガス発生装置の電極収納容器内には設定された液面まで電解液が充たされ、その液中には陰電極と陽電極とを複数交互に配列させた複合電極が浸されており、電極収納容器の外側面に設置した高周波振動機の励起により２００Ｈｚ〜１０００Ｈｚの振動周波数で複合電極を前後に振動させることにより電気分解を大幅に促進させて、ＨＨＯガスを効率良く発生させる構成としたものである。【００１８】  また、第３の課題解決手段は、過熱水蒸気発生ボイラ−の外側を取り囲んだ加熱タンクの中に流入させた温海水を、燃焼室の下側に設けたＨＨＯガスバ−ナ−の燃焼炎で加熱される過熱水蒸気発生体は、中心部に円錐台形状の貫通炎道を穿孔した周囲に、螺旋チタンパイプをアルミナ・チタン・ジルコニウム・バナジウム・クロム・銅・カ−ボンなどと炭素繊維を混入して泥漿鋳込んだ耐火セラミック製の過熱水蒸気発生体を設置し、加熱された過熱水蒸気発生体の放射熱で周囲の加熱タンクに流入した温海水を８０℃前後に昇温させ、加熱タンクの上側から熱海水導入管を介して螺旋のチタンパイプ内を流下時の加熱で１００℃以上の過熱水蒸気を蒸発させ、蒸発しない塩類は流下しながら濃縮されて過熱水蒸気供給管に設けたスチ−ムトラップにより外部に排除させる構成としたものである。【００１９】  また、第４の課題解決手段は、過熱水蒸気凝縮装置の外側を取り囲んだ冷却タンクの中に流入させた海水で冷却され��逆円錐台形状の凝縮室の内壁面に多段に接合された鎧型凝縮板と凝縮液受皿を内装し、凝縮室内の下側央部に設置した過熱水蒸気噴射ノズルから凝縮室内に旋回するよう噴射された１００℃以上の塩類を含んだ過熱水蒸気は、旋回し塩類と分離しながら蒸発上昇する過程で、冷やされた多段の鎧型凝縮板に水蒸気が触れることで凝縮されて淡水となり流れ落ちて凝縮液受皿から淡水排出管を介して外部に排出される。蒸発することが出来ず分離された塩類は、凝縮室の下部に溜まり濃塩水となり濃塩水排出管を介して外部に排出される。過熱水蒸気凝縮装置に流入する海水１５℃と過熱水蒸気１００℃との８５℃前後の温度差を利用し直流電力を発電させる温度差発電装置を設けて電力を発生させる構成としたものである。【００２０】  上記課題解決手段による作用は次の通りである、海底に埋設した海水取水パイプ又は海岸に掘削した井戸から１５℃前後の海水又は地下水の鹹水を海水送水管の途中に設けた揚水ポンプを介して、真空断熱材又はガラス繊維断熱材で周囲を囲み外気と遮断された過熱水蒸気凝縮装置の外側を囲んだ冷却タンクの中に流入させて、凝縮室内の上側で冷却タンクに接合された鎧型凝縮板を伝導熱により２０℃前後に冷却させながら２５℃前後昇温した海水を、冷却タンクの上側から温水供給管により２方弁を介して太陽熱温水器の中に送水する。太陽熱温水器の内部で太陽熱エネルギ−の吸収により６０℃前後に加熱された温海水は、断熱材で周囲を囲み外気と遮断された過熱水蒸気発生ボイラ−の外側を囲んだ加熱タンクの中に流入させる。【００２１】  そして、太陽光発電パネルにより発電し一度蓄電池に蓄えらた直流電流を主電源とし、非常用又は蓄電池の電力不足を補うため外部供給の交流電流とを補助電源とし直流制御装置に給電し、直流制御装置により極性変換とパルス変換された直流電流をＨＨＯガス発生装置の複合電極に給電する。電解液が充たされたＨＨＯガス発生装置による電気分解により発生したＨＨＯガスを気水分離サイクロンで清浄化させ逆火防止弁を介して過熱水蒸気発生ボイラ−内の下側に設けたＨＨＯガスバ−ナ−により燃焼させることで加熱タンク内の海水を加熱し１００℃以上の過熱水蒸気を発生させ未蒸発の濃塩水をドレンとして排出し、海水により２０℃前後に冷却された過熱水蒸気凝縮装置の凝縮室内の下側に設けた過熱水蒸気噴射ノズルから塩類を含んだ過熱水蒸気を噴射させながら蒸発させ、鎧型凝縮板で冷却して凝縮することで、淡水と濃塩水とに効率良く分離することができる。【００２２】  また、第２の課題解決手段による作用は、太陽エネルギ−を有効利用した海水の淡水化装置に設けられた、直流制御装置により極性変換およびパルス変換された１２Ｖの直流電流を、ＨＨＯガス発生装置の電極収納容器内の設定された液面まで電解液が充たされた液中に浸着された複合電極（陰電極と陽電極とを交互に複数個配置した。）に給電し、電極収納容器の外側面から高周波振動機の励起により２００Ｈｚ〜１０００Ｈｚの振動周波数で複合電極を前後に振動させることで複合電極による電気分解を大幅に促進させるため、ＨＨＯガスを効率良く発生させることができる。【００２３】  また、第３の課題解決手段による作用は、燃焼室の下側に設けたＨＨＯガスバ−ナ−の燃焼炎で加熱される過熱水蒸気発生体は、中心部に円錐台形状の貫通炎道を穿孔した周囲に、螺旋チタンパイプをアルミナ・チタン・ジルコニウム・バナジウム・クロム・銅・カ−ボンなどと炭素繊維を混入して泥漿鋳込んだ耐火セラミック製の過熱水蒸気発生体を設置し、加熱された過熱水蒸気発生体の放射熱で周囲の加熱タンクに流入した温海水を８０℃前後に昇温させ、加熱タンクの上側から熱海水導入管を介して螺旋のチタンパイプ内を流下時の加熱で１００℃以上で加圧状態の過熱水蒸気を蒸発させ、蒸発しない塩類は流下しながら濃縮されて過熱水蒸気供給管の途中に設けたドレンセパレ−レ−に溜められ、接続したスチ−ムトラップより濃い塩水をドレンとして外部に排除させることができる。【００２４】  また、第４の課題解決手段による作用は、過熱水蒸気凝縮装置の外側を取り囲んだ冷却タンクの中に流入させた海水で冷却された逆円錐台形状の凝縮室の内壁面に多段に接合された鎧型凝縮板と凝縮液受皿と、凝縮室内の下側央部に設置した過熱海水蒸気噴射ノズルから凝縮室内に旋回するように噴射された１００℃以上の塩類を含んだ過熱水蒸気は、旋回し塩類と分離しながら蒸発上昇する過程で、冷やされた多段の鎧型凝縮板に水蒸気が触れることで凝縮されて淡水となり流れ落ちて凝縮液受皿から淡水排出管を介して外部に排出される。分離された塩類は凝縮室下部の濃塩水排出管を介し外部に排出される。また、過熱水蒸気凝縮装置に流入する海水１５℃と過熱水蒸気１００℃との８５℃前後ある温度差を利用して温度差発電装置に設けたゼ−ベック素子の片側に海水供給管を反対側に過熱水蒸気供給管とを配管することによる熱発電により電力を発生させることができる。
【発明の効果】
【００２５】  前述したように本発明による太陽エネルギ−を利用した海水の淡水化装置は、太陽エネルギ−による熱と太陽光で発電した電気を一度蓄電池に蓄えて動力源とする。その電力を海水揚水ポンプの駆動、直流制御装置の電源ＨＨＯガス発生装置の電源などに使用し、太陽熱で６０℃前後に加熱された海水を更にＨＨＯガスによる過熱水蒸気発生体内での燃焼により１００℃以上の過熱水蒸気を発生させ凝縮して淡水を得るための全ての電力をまかなえる。地震や津波により電力や水道施設の破壊された被災地に、コンパクトにパッケ−ジ化された太陽エネルギ−を利用した海水の淡水化装置を、搬送して設置するだけで海水や地下水の鹹水から淡水を造水して飲料水や生活用水として供給することができる。【００２６】  水は生命の維持に不可欠であるだけでなく、豊かな暮らしと健全な生態系の維持に欠かせず水が不足すれば人々の健康を損ない、農業生産や工業生産を社会的に低下させる。安定した水の確保は、持続的な社会には必須なことであるが、世界人口の５分の１は安全な飲料水が確保されていないことである。水は太陽エネルギ−によって常に再生される循環型の資源であり、提供する装置はそれを技術的に実現させたものである。【００２７】  また、従来の淡水化装置では、海水や地下水に混入した化学物質や重金属類などを除去して飮料水を造水することが困難であったが、本発明の太陽エネルギ−を有効利用した海水の淡水化装置によれば、触媒を内装した濾過フイルタ−とＨＨＯガスの燃焼による過熱水蒸気の発生と、過熱水蒸気を噴射し蒸発させて凝縮して淡水を造水する複合作用により、植物性・動物性プランクトン、環境ホルモン物質、化学物質や重金属類などを除去し、淡水や飲料水が造水できる。又、ＨＨＯガスを過熱水蒸気発生ボイラ−の燃料として燃焼させるため、爆縮による水以外の排出物が発生せず地下室や密閉された室内に設置しても淡水が造水できる他、従来造水に伴って発生していた逆浸透膜やイオン交換膜の廃棄物、及び洗浄に用いる塩酸などの薬品廃棄物が一切発生しないことと、二酸化炭素を一切排出しないため地球温暖化防止に貢献することができる。【００２８】  さらにまた、過熱水蒸気凝縮装置に導入される、原水となる海水の保有する水温１５℃前後と過熱水蒸気の持つ蒸気温度１００℃以上との８５℃前後ある温度差を利用して直流電力を発生させる温度差発電装置を設け、温度差発電装置の中央部に設置したゼ−ベック素子の両側に海水供給管と過熱水蒸気供給管とを平行に配管して熱電変換により発電させることができるため、外部電力や特別な発電操作技術を一切必要とせず、無限の太陽エネルギ−を最大限に利用して海水の淡水化装置に必要な電力を賄うことができる。【００２９】  そして、海水や地下鹹水などの水源を淡水化するために必要なエネルギ−は、全て太陽に依存するためエネルギ−コストは全くゼロであり、熱帯地域や亜熱帯地域などの乾燥地帯や砂漠地帯に於いて、生きるため必要な飲料水や生活用水の確保の他に、農業用水が確保され、農作物が育成でき食料が確保されることと、その造水コストが根本的に安価で設置や移動運搬が簡単であり、造水の運転操作に特別な技術者を必要とせず、ランニングコストの安価��、海水や鹹水などを淡水化する造水装置を低価格で提供できる。
【図面の簡単な説明】
【００３０】
【図１】  本発明の太陽エネルギ−を利用した海水の淡水化装置の概略図
【図２】  同発明に用いるＨＨＯガス発生装置の断面図
【図３】  同発明に用いる過熱水蒸気発生ボイラ−の断面図
【図４】  同発明に用いる過熱海水凝縮装置の断面
【発明を実施するための形態】
【００３１】  以下本発明の太陽エネルギ−を利用した海水の淡水化装置の実施例を図１〜図４に基づいて説明する。尚、本発明はこれら実施形態に限定されるものではなく、本発明の趣旨を逸脱しない範囲で種々変更することが可能である。
【００３２】  太陽エネルギ−を有効利用した海水の淡水化装置は、淡水の造水に用いるエネルギ−源としては図１参照のように、従来公知の太陽熱温水器５と汎用製品である太陽光発電パネル６および蓄電池９を使用する。この太陽光発電パネル６で発電した直流電流６０を一端蓄電池９に蓄えて海水の淡水化装置１の主動力源として利用するため外部からの電力供給は一切必要とせず、太陽光発電パネル６で発電した直流電流６０だけで海水から淡水を造水できる装置である。災害などの非常時または太陽発電パネルで発電出来ない時は、外部から供給される１００Ｖの交流電流６１でも造水できる装置である。
【００３３】  淡水化する１５℃前後の海水４６または地下水などの鹹水を海水供給管３１の先端に接続したフイルタ−（図示せず。）で濾過し、直流電流６０で駆動する揚水ポンプ１３で汲みあげる、その汲みあげた海水４６を過熱水蒸気凝縮装置４は図４参照のように、外側を断熱材１１で囲まれた冷却タンク１９に注水して、過熱水蒸気凝縮装置４内部の凝縮室１７を冷却する。冷却することで２０℃前後まで昇温した海水４６を上側面に接続した温海水供給管３２から二方弁２６を介し、汎用製品である太陽熱温水器５に導入して太陽光による加熱で６０℃前後まで加熱させる。過熱水蒸気凝縮装置４と太陽熱温水器５との間に二方弁２６を設けたことは冬季または夜間に外気温が１５℃以下になり太陽熱温水器５による過冷却を防ぐため設けたもので、１５℃以下の場合は外気温センサ−（図示せず。）による信号入力により直流制御装置８に内装された温度調節装置の指示により二方弁２６を閉弁することで、太陽熱温水器５を介さず過熱水蒸気発生ボイラ−３の加熱タンク２０に注水することで、海水の淡水化装置１のエネルギ−損失を防いでいる。
【００３４】  昼間の日照時には、市販の太陽光発電パネル６（例えば、単結晶シリコン、多単結晶シリコン、薄膜シリコンなど。）で発電した１２Ｖの直流電流６０は、現在市販されている蓄電池９（例えば、鉛蓄電池、ポリマ−蓄電池、リチュウム蓄電池など。）に一旦蓄えられることで、太陽エネルギ−を利用した海水の淡水化装置１の動力源として用いられる。更に、非常時または天候不順時の太陽光発電パネル６の補助電力として、直流制御装置８内部には交流電流６１を直流電流６０に変換するインバ−タ−装置（図示せず。）が内装されており、商用電力である１００Ｖの交流電流６１が直流制御装置８に受電できる構成であり、太陽エネルギ−を利用した海水の淡水化装置１の補助電源として直流制御装置８に供給することでも稼働できる構成としてある。
【００３５】  また、過熱水蒸気凝縮装置４に導入される、原水となる海水の保有する水温１５℃前後と過熱水蒸気の蒸気温度１００℃以上との８５℃前後ある温度差を利用して熱発電させるための温度差発電装置１２は、温度差発電装置１２の中央部に設けたゼ−ベック素子１６の片側に螺旋スクリュ−板１４を内接して冷却効率を高めた海水供給管３１、反対側に螺旋スクリュ−板１４を内接して加熱効率を高めた過熱水蒸気供給管３５を平行に配管することでゼ−ベック素子１６に効率良く温度差を与えるをことによって、特別操作技術を必要とせず温度差によるエネルギ−を最大限利用して熱発電することができる。
【００３６】  従来公知の技術であるＨＨＯガス発生装置２は図２参照のように、電極収納容器４０の内部には電解液（例えば、３％前後の塩化カリウム水溶液または３％前後の硫酸ナトリウム水溶液など。）が液面５４の位置まで貯留されている、その電解液５２の中に陰電極５６と陽電極５７とを複数個交互に組み合わせて短冊状に配列した複合電極５５が浸され、直流制御装置８から１２Ｖの直流電流６０が陰電極５６と陽電極５７とに供給される。本発明でＨＨＯガスの電気分解に用いる直流電流６０は、パルス変換されて交互に極性の変換された直流電流６０が給電されるため、ＨＨＯガス発生装置２からのＨＨＯガス発生量を大幅に促進させることができること、併せて電極（例えば、炭素電極、チタン電極、ステンレス板にニッケルメッキを施した電極など。）の消耗を防ぐ構成である。
【００３７】  電極収納容器４０の中で電解液５２の液面５４下に設置される複合電極５５は、平行に配列された陰電極５６と陽電極５７との間に電気を通さない材質の厚さ２ｍｍ前後の絶縁リング４３（例えば、セラミックなど。）を挟んで、電気を通さない材質の絶縁ボルト４１（例えば、セラミックなど。）を用いて短冊状に連結することで複合電極５５が構成される。複合電極５５の側面に振動支持体４２を接合してスプリング２４を挿入し電極収納容器４０の片側に挿入し、反対側はスプリング２４を挿入し電極収納容器４０を貫通して外部に突出させ、電極収納容器４０と高周波振動機２１との間にもスプリング２４を介在させて高周波振動機２１を設置することで複合電極を前後に振動させることができる。
【００３８】  電極収納容器４０の外側面に設けた高周波振動機２１を励起することにより２００Ｈｚ〜１０００Ｈｚの振動周波数で複合電極を前後に振動させると、陰電極５６の表面から発生する水素の気泡離脱が促進され、陽電極５７の表面から発生する酸素の気泡離脱が促進される。それぞれの電極表面に付着した気泡離脱して電気抵抗とならないため電気分解が促進されることでＨＨＯガスの発生量が大幅に増加した。大量に発生したＨＨＯガス５１は浮力により電解液５２中を上昇し、液面５４より蒸発することで水素２対酸素１の割合で混合されたＨＨＯガス５１となり、電極収納容器４０の上端に接続されたＨＨＯガス供給管３８を介して気水分離サイクロン７に導入される。
【００３９】  気水分離サイクロン７に導入された湿潤状態のＨＨＯガス５１は、内部で旋回するサイクロン作用による遠心力で、ＨＨＯガス５１中の水分が飛ばされて気水分離サイクロン７の内壁面に付着して流れ落ち下部に接続した分離水排出管３９を介して電極収納容器４０の中に復水される。気水分離サイクロン７により水分を除去し乾燥されたＨＨＯガス５１は、ＨＨＯガス供給管３８とＨＨＯガスバ−ナ−２２の間に設けた逆火防止弁１５を介して過熱水蒸気発生ボイラ−３の下部に設けたＨＨＯガスバ−ナ−２２に供給される。逆火防止弁１５の構造は逆火防止弁の中に網目状態のステンレス繊維が密に充填された構造で、引火性の高いＨＨＯガス５１がＨＨＯガスバ−ナ−２２から逆火して気水分離サイクロン７やＨＨＯガス発生装置２などが、ガス爆縮事故による破損を防ぐことができる。
【００４０】  過熱水蒸気発生ボイラ−３は図３参照のように、ＨＨＯガスバ−ナ−２２と逆火防止弁１５とを連結したＨＨＯガス供給管３８の間に設けたＨＨＯガス開閉弁２５は、淡水化を開始するための海水の淡水化装置１の外部から操作できる起動スイッチ（図示せず。）のＯＮ操作により、直流制御装置８から複合電極５５への直流電流６０の供給と連動してＨＨＯガス開閉弁２５は開弁されＨＨＯガス５１がＨＨＯガスバ−ナ−２２に供給される。起動スイッチのＯＦＦ操作によりＨＨＯガス発生装置２の複合電極５５への直流電流６０の遮断と連動してＨＨＯガス開閉弁２５は閉弁される構造である。燃焼室１８下側の央部に設置するＨＨＯガスバ−ナ−２２の先端部に設けられた点火電極５８は、直流の高圧電流の放電スパ−クによる点火でＨＨＯガス５１に着火されるが、ＨＨＯガス５１の燃焼時には燃焼火炎が透明で市販の火炎検出センサ−では検出が不可能なために、燃焼室１８内の下部に設置した炉内温度センサ−３０により燃焼室１８内の温度が約５０℃前後になるまで連続して放電スパ−クする保持回路が直流制御装置８に内装されている。
【００４１】  過熱水蒸気発生ボイラ−３の外側を断熱材１１で取り囲んだ加熱タンク２０の中に、太陽熱温水器５から６０℃前後に加熱された温海水４７が流入し、遠赤外線の加熱と燃焼炎２８による加熱との複合加熱で、加熱タンク２０内の温海水４７を８０℃前後まで昇温される、燃焼室１８の下側に設けたＨＨＯガスバ−ナ−２２の燃焼炎２８で加熱される過熱水蒸気発生体１０の構造は、材質がアルミナ・チタン・ジルコニウム・バナジウム・銅・カ−ボンなどに炭素繊維を混入し円柱形状の中央部に円錐台形状の貫通炎道５９を穿孔、その周囲に螺旋チタンパイプ３４を挿入して泥漿鋳込みすることで成形し、乾燥させた後に焼成して製造された耐火セラミック製の過熱水蒸気発生体１０である。
【００４２】  ＨＨＯガスバ−ナ−２２によるＨＨＯガス５１の燃焼炎２８が貫通炎道５９の中を上昇する過程で燃焼炎２８からの放射熱により過熱水蒸気発生体１０の貫通炎道５９の内壁面が加熱されることで遠赤外線を発生する同時に、過熱水蒸気発生体１０の熱伝導により、内部に鋳込まれた螺旋チタンパイプ３４の中に流入した８０℃前後の温海水４７も加熱され、温海水４７から１００℃以上で加圧状態の過熱水蒸気４９が発生することでＨＨＯガス５１による燃焼エネルギ−は熱吸収される。ＨＨＯガス５１自体が酸素を含んでいるため燃焼時に酸素は不要であり、燃焼生成物として水（Ｈ２Ｏ）が生成され淡水排出管３６を介して過熱水蒸気発生ボイラ−３の外側に排出される。
【００４３】  加熱タンク２０の上部に安全弁２７を設置して、加熱タンク２０内部が設定圧力以上になると安全弁２７が開弁されて加熱タンク２０の内部を減圧させて破損を防ぐ構造とし、ＨＨＯガス５１の燃焼炎２８が円錐台形状の貫通炎道５９を通過するときの放射熱により過熱水蒸気発生体１０を構成する吸熱セラミックが３００℃前後まで加熱され発生した遠赤外線により周囲の加熱タンク２０を放射加熱すると同時に、吸熱セラミックからの熱伝導で加熱された螺旋チタンパイプ３４内では過熱水蒸気４９を発生させながら貫通炎道５９上端から全周方向に排出され、加熱タンク２０内壁の上隅面から下向きに方向変換された燃焼炎２８は内壁面を下降して加熱タンク２０内の温海水４７を複合加熱することで、ＨＨＯガス５１の水素２モルと酸素１モルは完全燃焼して２モルの水が生成される。
【００４４】  過熱水蒸気発生体１０の周囲を取り囲んだ円筒形状の加熱タンク２０内で８０℃前後まで加熱された温海水４７は、加熱タンク２０内の上部から横方向に設置された熱海水導入管３３に接続した螺旋チタンパイプ３４の内部を流下する時、燃焼炎２８の放射熱による吸熱セラミックからの熱伝導により温海水４７は１００℃以上で加圧状態の過熱水蒸気を蒸発させ、蒸発することが出来なかった温海水４７中の塩類は螺旋チタンパイプの内部を流れ下りながら濃縮されて濃塩水５０となり、外部に接続した過熱水蒸気供給管３５に流入して途中に設けられたドレンセパレ−タ−６２の中に溜められ、ドレンセパレ−タ−６２接続したスチ−ムトラップ５３（例えば、フリ−フロ−ト型・レバ−フロ−ト型のメカニカルトラップなど。）により、ドレンセパレ−タ−６２に溜められた濃塩水５０が濃塩水排出管３７から自動的に排出することで効率良く過熱水蒸気４９を発生させる。
【００４５】  ＨＨＯガス５１の燃焼は、ＨＨＯガスが炭素や窒素を含まない水素と酸素の混合ガスのため、地下室などの密閉された室内に設置しても石油燃焼やガス燃焼と違い、廃棄ガスを排出する煙突や燃焼に必要な吸気口は必要無く、二酸化炭素中毒などの人災は発生せず、安全で全く無害な、太陽エネルギ−を最大限有効利用した海水の淡水化装置である。
【００４６】  過熱水蒸気凝縮装置４は図４参照のように、淡水化する１５℃前後の海水４６または地下水などの鹹水を揚水ポンプ１３で揚げて海水供給管３１を介して温度差発電装置１２を冷却しながら過熱水蒸気凝縮装置４の外側を断熱材１１で囲まれた円筒形状の冷却タンク１９の中に流入させる。海水４６で冷却された冷却タンク１９内部には逆円錐台形状の断面空間をした凝縮室１７が設けられている。この冷却タンク１９の内壁面に接続して熱伝導により冷却される多段に設置された鎧型凝縮板４４により、過熱水蒸気噴射ノズル２３から上方向に噴射した旋回水蒸気２９は上昇する過程で蒸発しながら塩類と分離され、蒸発した水蒸気は鎧型凝縮板４４の側壁の表面に触れることで冷却されて凝縮することで淡水化された水滴となり、鎧型凝縮板４４の表面で水滴と水滴が表面張力による作用により結合し、大きな水滴になると重力により凝縮液受皿４５の中に流れ落ちる。凝縮液受皿４５から冷却たンク１９を貫通した淡水排出管３６を介して過熱水蒸気凝縮装置４から外部に排出する。旋回過程で蒸発せず分離された塩類は凝縮室１７の下部に流れ落ちて濃塩水５０となり過熱水蒸気凝縮装置４下部の濃塩水排出管３７を介して外部に排出される。
【００４７】  また、過熱水蒸気凝縮装置４の外部では、ＨＨＯガス５１の燃焼による過熱水蒸気発生ボイラ−３の発する過熱水蒸気４９の熱エネルギ−を有効利用して発電するため、過熱水蒸気凝縮装置４に導入される、原水となる海水４６の保有する水温１５℃前後と過熱水蒸気４９の蒸気温度１００℃以上との８５℃前後ある温度差を利用して熱発電させるための温度差発電装置１２は、温度差発電装置１２の中央部に設けたゼ−ベック素子１６の片側に螺旋スクリュ−板１４を内接して冷却効率を高めた海水供給管３１、反対側に螺旋スクリュ−板１４を内接して加熱効率を高めた過熱水蒸気供給管３５を平行に配管することでゼ−ベック素子１６に効率良く温度差を与えることによって、特別な装置を必要とせず簡単に温度差によるエネルギ−を最大限有効利用して熱発電することができる。
【００４８】  従来の温度差発電装置１２は、ゼ−ベック効果を利用した半導体素子への熱伝達効率が悪いために経済性が乏しく実用化されている事例が少ないことである。ゼ−ベック素子１３片側の海水供給管３１の内壁に内接して螺旋スクリュ−板１４を装着することで、水温１５℃前後の海水は螺旋スクリュ−板１４で邪魔されて管内を渦巻きながら通過することで、管内壁接触と螺旋スクリュ−板１４との乱流接触により約３倍の熱伝導効率による冷却熱をゼ−ベック素子１６に伝えることができる。反対側の過熱水蒸気供給管３５の内壁に内接して螺旋スクリュ−板１４を装着することで、温度１００℃以上の過熱水蒸気は螺旋スクリュ−板１４で邪魔され管内を渦巻きながら通過することで、管内壁接触と螺旋スクリュ−板１４との乱流接触により乱流となるため熱伝達が、螺旋スクリュ−板１４の未装着に比べ、約３倍の熱伝達による加熱エネルギ−をゼ−ベック素子１６に伝えることができるため温度差発電装置１２による熱発電量を大幅に向上させたものである。
【００４９】  ＨＨＯガス発生装置２、気水分離サイクロン７、過熱水蒸気発生ボイラ−３、過熱水蒸気凝縮装置４、温度差発電装置１２、揚水ポンプ１３、海水供給管３１、温海水供給管３２、熱海水供給管３３、過熱水蒸気供給管３５などが直接外気に触れて冷却されることによるエネルギ−の熱損失を防ぐために、真空断熱材またはセラミック断熱材で保温されたものである。本考案により、太陽エネルギ−の変換効率を向上させたことで海水の淡水化装置に於ける省エネ効果は絶大である。尚、ＣＯ２の排出や廃棄物の発生も無く環境に優しく淡水化能力を最大限発揮させることができる。
【００５０】  また、海水や鹹水から淡水を得る全ての電力を太陽光発電パネル６で賄えるため、一例として両側の側面が撥ね上げられるコンテナ（図示せず。）を用いて、屋根面に太陽熱温水器５、側面に太陽光発電パネル６、コンテナ内部にＨＨＯガス発生装置２、過熱水蒸気発生ボイラ−３、過熱水蒸気凝縮装置４、蓄電池９、温度差発電装置１２、気水分離サイクロン７、揚水ポンプ１３などをコンパクトにパッケ−ジ化された、太陽エネルギ−を利用した海水の淡水化装置のコンテナを、地震や津波により電力や水道施設などが破壊された被災地に、車両・船舶・ヘリコプタ−などにより緊急搬送して設置し、側面の太陽光発電パネル６を水平に撥ね上げ固定し発電させるだけで、直ちに海水や地下水の鹹水から、淡水を造水して飲料水や生活用水として被災者に給水することができる。
【符号の説明】
【００５１】  ２  ＨＨＯガス発生装置
３  過熱水蒸気発生ボイラ−
４  過熱水蒸気凝縮装置
６  太陽光発電パネル
８  直流制御装置
１０  過熱水蒸気発生体
１２  温度差発電装置
１４  螺旋スクリュ−板
１６  ゼ−ベック素子
１８  燃焼室
２１  高周波振動機
２２  ＨＨＯガスバ−ナ−
２３  過熱水蒸気噴射ノズル
３４  螺旋チタンパイプ
４４  鎧型凝縮板
４５  凝縮液受皿
５３  スチ−ムトラップ
５５  複合電極
【図１】
2014237118.tif 000003
【図２】
2014237118.tif 000004
【図３】
2014237118.tif 000005
【図４】
2014237118.tif 000006